(57)【要約】【課題】使い勝手のいい撮像装置を提供する。【解決手段】撮像装置であるカメラシステム（１）は、撮影レンズ（３）を用いて撮像を行う撮像部（９）と、位置に関する情報を検出する位置検出部（１６）と、イベント情報を検出するイベント検出部（３１）と、位置検出部が検出した位置とイベント検出部が検出したイベント情報に関する位置とが対応する場合に、撮影レンズに関する情報に基づいて、撮像の設定を行う設定部（２７）と、を備えて構成されている。【選択図】図１
2018028678.tif 000002
【特許請求の範囲】
【請求項１】
撮影レンズを用いて撮像を行う撮像部と、
位置に関する情報を検出する位置検出部と、
イベント情報を検出するイベント検出部と、
前記位置検出部が検出した位置と前記イベント検出部が検出したイベント情報に関する位置とが対応する場合に、前記撮影レンズに関する情報に基づいて、前記撮像の設定を行う設定部と、
を備えることを特徴とする撮像装置。
【発明の詳細な説明】
【技術分野】
【０００１】
本発明は、撮像装置に関する。
【背景技術】
【０００２】
フィルムカメラに代わってデジタルカメラが主流となり、撮影に使用される機会が増えてきている。しなしながら、撮影が禁止されている場所や、閃光撮影が禁止などの条件付きでの撮影しか認められていない場所がある。このため、位置情報を取得して、位置情報に応じた撮影の設定ができるカメラが提案されている（例えば、特許文献１参照）。
【先行技術文献】
【特許文献】
【０００３】
【特許文献１】特開２００７−０１３８２９号公報
【発明の概要】
【課題を解決するための手段】
【０００４】
前記課題を解決するために、本発明に係る撮像装置は、撮影レンズを用いて撮像を行う撮像部と、位置に関する情報を検出する位置検出部と、イベント情報を検出するイベント検出部と、位置検出部が検出した位置とイベント検出部が検出したイベント情報に関する位置とが対応する場合に、撮影レンズに関する情報に基づいて、撮像の設定を行う設定部と、を備えることを特徴とする。
【図面の簡単な説明】
【０００５】
【図１】カメラシステムの要部断面図である。
【図２】カメラシステムのブロック図である。
【図３】カメラシステムの動作を示すフローチャートである。
【図４】撮影シーン確認モード（問い合わせモード）を示すカメラシステムの背面概観図である。
【発明を実施するための形態】
【０００６】
以下、本発明の好ましい実施形態について図面を参照して説明する。まず、図１及び図２を用いて、本実施形態に係る撮像装置の一例として、カメラシステム１の構成について説明する。カメラシステム１は、カメラ本体２と交換可能な撮影レンズ３とを組み合わせ、撮像部である撮像素子９で撮像を行う撮像装置として機能する、レンズ交換式一眼レフカメラである。また、本カメラシステム１は、外付けの閃光装置５０を取り付け可能であり、閃光撮影が可能である。
【０００７】
撮影レンズ３は、フォーカスレンズ、ズームレンズおよび防振レンズを含むレンズ群４、絞り５、カメラシステム１の振れを検出する角速度センサ６、レンズ群４を駆動する不図示の駆動装置等を備える。角速度センサ６は、少なくとも光軸に直交する２軸周りの角速度を検出する。駆動装置は、例えば振動波モータ、ＶＣＭにより構成される複数のモータを有し、フォーカスレンズを光軸方向に駆動し、防振レンズを光軸方向とは異なる方向に駆動する。また、撮影レンズ３は、この撮影レンズ３の全体を制御すると共に、カメラ本体２と協働するレンズＣＰＵ７を有する。
【０００８】
カメラ本体２は、撮影レンズ３からの光束を反射してファインダー光学系８に導く反射位置と、撮影レンズ３からの光束がＣＣＤまたはＣＭＯＳなどから構成される撮像素子９に入射するように退避する退避位置とで揺動するメインミラー１０を備える。このメインミラー１０の一部の領域は半透過領域となっており、カメラ本体２は、この半透過領域を透過した光束を焦点検出センサ１１へ反射するサブミラー１２を備える。このサブミラー１２は、メインミラー１０に連動して揺動し、メインミラー１０が退避位置をとるときには、サブミラー１２も光束から退避する。なお、焦点検出センサ１１は、位相差方式により入射する光束の焦点状態を検出する。
【０００９】
反射位置にあるメインミラー１０で反射された光束は、焦点板１３、ペンタプリズム１４を介してファインダー光学系８へ導かれる。このファインダー光学系８は、複数のレンズから構成されており、ユーザはファインダー光学系８により被写界を確認することができる。
【００１０】
また、ペンタプリズム１４を透過する光束の一部は測光センサ１５に導かれる。測光センサ１５は、撮影レンズ３へ入射する光束を複数の領域ごとに測光することにより、被写界の輝度分布を計測する。また、ペンタプリズム１４の上方にはＧＰＳ（Ｇｌｏｂａｌ Ｐｏｓｉｔｉｏｎｉｎｇ Ｓｙｓｔｅｍ：全地球測位システム）モジュール１６を備えており、ＧＰＳ衛星からの信号を受信して、カメラシステム１が存在している位置情報を取得する。さらに、カメラ本体２は、撮影レンズ３のマウント部近傍で撮影レンズ３と干渉しない位置に、被写界の音を取り込むマイク１７と、ファインダー光学系８の近傍にビープ音などを発するスピーカ１８を備える。
【００１１】
メインミラー１０が退避位置にあるときには、撮影レンズ３からの光束は、ローパスフィルター１９を介して撮像素子９に入射する。撮像素子９の近傍には撮像基板２０が設けられており、撮像基板２０の後方には外部に面して背面モニタ２１が設けられている。
【００１２】
また、カメラ本体２は、姿勢センサ２２を備える。姿勢センサ２２は、カメラシステム１の姿勢を検出する。具体的には、カメラシステム１が横向きに構えられているのか、縦向きに構えられているのか、さらには、ユーザが背面モニタ２１を視認しやすい姿勢である前傾姿勢であるのか等の姿勢を検出する。
【００１３】
閃光装置５０は、光源としてＲ，Ｇ，Ｂの各色の発光ダイオード５１（Ｒ-ＬＥＤ，Ｇ-ＬＥＤ，Ｂ-ＬＥＤ）と、各色の発光ダイオード５１に電流を供給して、各色の発光ダイオード５１の発光量および発光時間を制御する閃光制御回路５２とを有する。
【００１４】
図２は、本実施形態に係るカメラシステム１のブロック図である。カメラ本体ＣＰＵ２７により、このカメラシステム１の全体の制御が行われる。また、撮像基板２０は、撮像素子９を駆動する駆動回路２３、撮像素子９の出力をデジタル信号に変換するＡ／Ｄ変換回路２４、ＡＳＩＣで構成される画像処理制御回路２５および撮像素子９からの信号の高周波成分を抽出するコントラストＡＦ回路２６などを有している。
【００１５】
画像処理制御回路２５は、デジタル信号に変換された画像信号に対してホワイトバランス調整、シャープネス調整、ガンマ補正、階調調整などの画像処理を施すと共に、ＪＰＥＧなどの画像圧縮を行って画像ファイルを生成する。生成された画像ファイルは、画像記録媒体３７に記憶される。この画像記録媒体３７は、カメラ本体２に対して着脱可能なフラッシュメモリなどの記録媒体であっても良いし、カメラ本体２に内蔵されるＳＳＤ(Solid State Drive)などの記録媒体であっても良い。
【００１６】
画像処理を施された画像信号は、背面モニタ制御回路２８の制御により、背面モニタ２１に表示される。この背面モニタ２１に撮影直後に撮影された画像信号を所定時間表示すれば、画像記録媒体３７に記録された画像ファイルに対応する画像をユーザに視認させることができる。また、撮像素子９が連続的に光電変換する被写界像を、画像記録媒体３７に記録することなく背面モニタ２１に逐次表示すればライブビュー表示を実現できる。さらに、撮像素子９が連続的に光電変換する被写界像を、例えばＭＰＥＧなどの動画圧縮処理を画像処理制御回路２５で施して画像記録媒体３７に記録すれば、動画撮影を実現することができる。このとき、マイク１７で収集した被写界の音声も圧縮処理して、動画データに同期させて記録する。生成される動画像のフレームレートは、例えば３０ｆｐｓなど、複数のフレームレートから選択されて設定される。
【００１７】
また、音声識別部３４は、マイク１７で収集された音声の周波数の分析を行い、例えば、子供の声、大人の声（男の声、女の声）、ペットの声、昆虫の鳴き声などを識別するものである。なお、音声識別部３４に辞書データベースを持たせて、入力した音声の単語を識別するようにしてもよい。
【００１８】
コントラストＡＦ回路２６は、撮像素子９からの撮像信号の高周波成分を抽出してＡＦ評価値信号を生成し、これが最大になるフォーカスレンズ位置を検出する。具体的には、画像処理制御回路２５から入力される画像信号から、バンドパスフィルタを用いて所定の高周波成分を抽出し、ピークホールド、積分等の検波処理を行ってＡＦ評価値信号を生成する。生成したＡＦ評価値信号は、カメラ本体ＣＰＵ２７に出力する。
【００１９】
レンズＣＰＵ７は、角速度センサ６で検出した手振れをキャンセルするように、撮影レンズ３内の防振レンズを光軸方向とは異なる方向に駆動して光学式手振れ補正を実現している。手振れ補正はこのような光学式手振れ補正に限らず、撮像素子９に駆動機構を付与して、光軸方向とは異なる方向に駆動して手振れをキャンセルする撮像素子駆動式手振れ補正を採用することもできる。さらには、画像処理制御回路２５から出力された複数枚の画像間の動きベクトルを算出し、算出した画像間の動きベクトルをキャンセルするように画像読み出し位置を制御して手振れをキャンセルする電子式手振れ補正を採用することもできる。光学式手振れ補正および撮像素子駆動式手振れ補正は特に静止画撮影に好適であり、動画撮影にも適用される。電子式手振れ補正は動画撮影に好適である。これらの方式は、選択的、追加的に採用され得る。
【００２０】
また、カメラ本体ＣＰＵ２７は、レンズＣＰＵ７と連携し、焦点検出センサ１１の出力に応じて撮影レンズ３を構成するフォーカスレンズの作動を制御することによりＡＦ動作を行う。さらに、カメラ本体ＣＰＵ２７は、撮影レンズ３を構成するズームレンズの状態（焦点距離）や、この撮影レンズ３自体の情報（例えば、広角レンズ、望遠レンズ、マクロレンズ等のレンズ種別）をレンズＣＰＵ７を介して取得することができる。
【００２１】
測光センサ１５は、上述のように、撮影レンズ３へ入射する光束を複数の領域ごとに測光することにより被写界の輝度分布を計測するが、計測結果はカメラ本体ＣＰＵ２７に出力する。カメラ本体ＣＰＵ２７では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００２２】
カレンダー部３８は、水晶発振子、計時用集積回路等を有しており、年月日時分秒といったカレンダー情報を保持する。カメラ本体ＣＰＵ２７は、カレンダー部３８から時間に関する情報を適宜検出することができる。ＧＰＳモジュール１６は、ＧＰＳ衛星からの信号を受信してカメラ本体２が存在している緯度、経度、高度情報（位置に関する情報）を取得する位置検出部である。また、カメラ本体ＣＰＵ２７は、ＧＰＳモジュール１６からカメラ本体２が存在している位置に関する情報を適宜検出することができる。
【００２３】
フラッシュＲＯＭ２９は、ＥＥＰＲＯＭ（登録商標）であり、カメラシステム１を動作させるプログラムのほか、各種調整値、設定値を記憶する記憶装置である。具体的には、ＡＦ調整データ、ＡＥ調整データ、製造時の年月日時間データ、各種設定ＳＷの設定履歴などを記憶している。特に、ユーザが設定する各種設定値は、カメラシステム１のメニュー項目として、種類に応じて複数に分類され、さらにそれぞれの分類の中でその従属関係からツリー構造状に階層化されて管理されている。また、カメラシステム１が備える機能についてユーザをガイドするユーザガイドも、メニュー項目と同様に、種類に応じて複数に分類され、さらにそれぞれの分類の中でツリー構造状に階層化されて管理されている。また、フラッシュＲＯＭ２９は、メニュー設定画面およびユーザガイド画面の所定回数分の使用履歴を記憶している。また、フラッシュＲＯＭ２９は地図情報を記憶しており、カメラ本体ＣＰＵ２７は、ＧＰＳモジュール１６の出力として得られる緯度、経度、高度情報と、フラッシュＲＯＭ２９に記憶されている地図情報とから現在の位置情報を取得することができる。
【００２４】
ＲＡＭ３０は、フラッシュＲＯＭ２９に記憶されたプログラムが展開され、カメラ本体ＣＰＵ２７が高速にアクセスできるＤＲＡＭなどの高速ＲＡＭである。特に頻繁に参照される各種調整値、設定値などもフラッシュＲＯＭ２９からコピーされ、カメラ本体ＣＰＵ２７からのアクセスを容易にする。
【００２５】
背面モニタ制御回路２８は、上述のように画像処理された画像の他、フラッシュＲＯＭ２９から読み出したメニュー設定画面およびユーザガイド画面を背面モニタ２１へ表示する表示制御を行う。また、背面モニタ２１の表面にはタッチパネルセンサが積層されており、ユーザが背面モニタ２１のメニュー項目等を視認しつつタッチパネルセンサを操作したときには、その座標とその座標に対応して表示されていたメニュー項目をカメラ本体ＣＰＵ２７へ出力する。
【００２６】
姿勢センサ２２は、上述のように、カメラシステム１の姿勢を検出する姿勢検出部である。この姿勢センサ２２は、簡単なものでは、フォトインタラプタの赤外光を、重力によって移動する小球が遮断するかにより一軸方向の姿勢を検出するセンサを組み合わせて構成される。また、カメラシステム１の姿勢として正確な角度まで検出したい場合には、３軸加速度センサなどが用いられる。特に本実施形態においては、ユーザが背面モニタ２１を視認しやすい姿勢である前傾姿勢であるかが検出される構成であれば良い。
【００２７】
三脚判定部３５はカメラ本体２が三脚に取り付けられているか否かを判定して保持状態を検出する保持状態検出部であり、この三脚判定部３５は、角速度センサ６の出力や、カメラ本体２の三脚固定箇所のセンサスイッチ等などから、カメラ本体２が三脚固定状態か否かを判定する。
【００２８】
イベント情報取得部３１は、ネットワークを介して特定の施設で開催されるイベント情報を検出して取得するイベント検出部である。このイベント情報取得部３１は、図示しない無線ＬＡＮ等のネットワーク接続部と、特定の施設におけるイベント情報をネットワーク上から取得するプログラムとから構成される。なお、イベント情報取得部３１は、ネットワーク上で公開された情報にアクセスすることに限らず、ユーザが予め構築したイベント情報に関するデータベースにアクセスするように構成しても良い。また、イベント情報取得部３１は、ネットワークに接続するのではなく、ユーザが例えばスケジュール情報としてフラッシュＲＯＭ２９に記憶させたデータベースにアクセスするように、内部的に構成することもできる。
【００２９】
レリーズＳＷ３２は、２段式のスイッチである。ユーザがレリーズＳＷ３２を半押しすると、オートフォーカス、測光などの撮影準備動作を行う。さらにユーザがレリーズＳＷ３２を全押しすると、カメラ本体ＣＰＵ２７は、静止画、動画の撮影動作を開始する。
【００３０】
閃光装置５０の閃光制御回路５２は、後述のカメラ本体ＣＰＵ２７と協働して、各色の発光ダイオード５１（Ｒ-ＬＥＤ，Ｇ-ＬＥＤ，Ｂ-ＬＥＤ）の発光量および発光時間を制御する。このとき、カメラ本体ＣＰＵ２７は、レンズＣＰＵ７および閃光装置５０と協働してカメラシステム１の全体を制御する。
【００３１】
以上のように構成された本カメラシステム１の撮影動作について、以下図３のフローチャートに沿って説明を行う。なお、本フローチャートは、不図示の電源がＯＮされた状態でのものとする。また、本フローチャートは、上述のように。フラッシュＲＯＭ２９に記憶され、ＲＡＭ３０に展開されたプログラムにより、カメラ本体ＣＰＵ２７で実行されるものとする。すなわち、カメラ本体ＣＰＵ２７は、本フローチャートに基づいて、上述の撮影レンズ３の情報及びＧＰＳモジュール１６、マイク１７、カレンダー部３８、焦電センサ３６等からなる環境検出部からの環境情報を用いて撮像の設定（撮影アシスト）を行う設定部として動作する。
【００３２】
カメラ本体ＣＰＵ２７は、撮影レンズ３の情報を取得する（ステップＳ１）。本実施形態において、カメラ本体ＣＰＵ２７は、撮影レンズ３の焦点距離情報を取得し、例えば焦点距離が６０ｍｍのマクロレンズであることを確認する。なお、撮影レンズ３の情報は、撮影レンズ３がカメラ本体２に取り付けられたタイミングで取得すればいい。
【００３３】
次に、カメラ本体ＣＰＵ２７は、環境情報の取得を行う（ステップＳ２）。本実施形態において、カメラ本体ＣＰＵ２７は、ＧＰＳモジュール１６の出力として得られる緯度、経度、高度情報と、フラッシュＲＯＭ２９に記憶されている地図情報とから現在の位置情報を取得し、カレンダー部３８から季節、月、時間などの日時情報を取得する。なお、室内にいるとき等、ＧＰＳモジュール１６による測位が不可能な場合は、測位可能であったときに取得した位置情報から現在の位置情報を推定しても良い。また、カメラ本体ＣＰＵ２７は、イベント情報取得部３１から現在の位置およびその周辺のイベント情報（イベントの内容、イベント開始時刻、イベント終了時刻）を検出する。更に、カメラ本体ＣＰＵ２７は、マイク１７が入力した音声を音声識別部３４により音声識別を行い、前述したように、入力した音声が子供の声や、ペットの鳴き声などという分類を行ったり、入力した音声の単語認識を行ったりする。
【００３４】
なお、カメラ本体ＣＰＵ２７は、上述した全ての情報を取得する必要はなく、撮影アシストが可能な情報を適宜取得すればよい。
【００３５】
カメラ本体ＣＰＵ２７は、上述したような、位置情報、日時情報、イベント情報、音声情報などの環境情報の取得を行い、ステップＳ１で取得した撮影レンズ３の情報に基づいて撮影アシストが可能かどうか判断する（ステップＳ３）。具体的には、カメラ本体ＣＰＵ２７は、ステップＳ１で取得した撮影レンズ３の情報がマクロレンズであり、ステップＳ２で取得した位置情報が水族館であり、イベント情報取得部３１から水族館に関するイベント情報を取得した場合に、ユーザが水族館でマクロ撮影をすると判断して、撮影アシスト可能と判断し、ステップＳ４に進む。ここで、カメラシステム１が水族館の建屋内にいるか否かについては、例えば、ＧＰＳモジュール１６による測位ができない場合に、建屋内にいると判断することができる。
【００３６】
カメラ本体ＣＰＵ２７は、ステップＳ４にて水族館でのマクロ撮影のためのアシストを実行する。具体的には、カメラ本体ＣＰＵ２７は、水族館では閃光撮影が禁止されているため閃光撮影の禁止を設定し、また、ＩＳＯ感度を８００〜１６００の間で設定するとともに、水の中の生物を撮影するためホワイトバランスを水中用（青の帯域補正を水中に特化させる）にする。また、カメラ本体ＣＰＵ２７は、水族館は一般的に暗いため、絞り５を開放近傍に設定するとともに、位相差方式にＡＦを行うために焦点検出センサ１１の出力によりＡＦ動作を行う。これに加え、カメラ本体ＣＰＵ２７は、動体の撮影が予想されるため、連続してＡＦを実行するコンティニュアスＡＦモードの設定を行う。
【００３７】
また、カメラ本体ＣＰＵ２７は、ユーザにより動画撮影が選択された場合に、取り付けられているレンズがマクロレンズであるため絞り制御を行わないようにする。更に、カメラ本体ＣＰＵ２７は、測光センサ１５の出力から逆光状態（ユーザが水槽に囲まれているような状態）であると判定した場合に、測光センサ１５の出力から算出された露出値を変更するとともに、得られた画像に階調補正を施す（この処理は「アクティブＤライティング」とも呼ばれる）。
【００３８】
また、カメラ本体ＣＰＵ２７は、ステップＳ２で取得した情報が、夏の夜間の屋外（郊外）での撮影の場合に夜光虫の撮影として、ステップＳ４にて閃光撮影を禁止している。
【００３９】
カメラ本体ＣＰＵ２７は、レリーズＳＷ３２が全押しされているかどうかをステップＳ５で判断し、全押しされている場合にはステップＳ６で撮影を実行し、本フローチャートを終了する。なお、カメラ本体ＣＰＵ２７は、レリーズＳＷ３２が全押しされていない場合にはステップＳ５を繰り返すが、所定時間レリーズＳＷ３２の全押しがなされない場合には本フローチャートを終了してもよい。
【００４０】
一方、カメラ本体ＣＰＵ２７は、ステップＳ３で撮影アシストをするための情報が不足している場合に、ステップＳ７に進む。撮影アシストをするための情報が不足している場合の一例としては、野外の日中にマクロ撮影を行う場合に、子供やペットなどの動体を撮影するのか、花などの静止している被写体を撮影するのかが判断できない場合がある。ステップＳ２でマイク１７により収集した音声から音声識別部３４がペットの鳴き声を識別したとしても、必ずしもペットのマクロ撮影とは限らない。
【００４１】
このため、カメラ本体ＣＰＵ２７は、カメラの姿勢に関する情報を取得する（ステップＳ７）。具体的には、カメラ本体ＣＰＵ２７は、姿勢センサ２２からカメラシステム１の姿勢を検出する。なお、これに加えて、カメラ本体ＣＰＵ２７は、三脚判定部３５からカメラシステム１に三脚が取り付けられているかどうかを確認してもよい。
【００４２】
カメラ本体ＣＰＵ２７は、再度撮影アシストが可能かどうか判断を行う（ステップＳ８）。カメラ本体ＣＰＵ２７は、姿勢センサ２２からカメラシステム１の姿勢が前傾かどうかを判断し、レリーズＳＷ３２が半押しされている状態でカメラシステム１が前傾の場合には、野外での花などの静止被写体であると判断し、撮影アシスト可能と判断する。なお、この場合に、三脚判定部３５からカメラシステム１に三脚が取り付けられていることを検出すれば、より精度の高い撮影状況の認識をすることができる。
【００４３】
カメラ本体ＣＰＵ２７は、ステップＳ８で現在取得している環境情報に基づいて撮影アシストが可能と判断した場合には、ステップＳ４にて野外で花を撮影する場合のアシストを実行する。具体的には、カメラ本体ＣＰＵ２７は、絞り優先モード（絞りを自分で設定し、シャッタースピードは明るさにあわせる。マクロ撮影時のぼかし具合を設定する）に設定する。この後のステップＳ５，Ｓ６の説明は前述の説明と同じため省略する。
【００４４】
一方、カメラ本体ＣＰＵ２７は、ステップＳ８にて現在取得している環境情報だけではアシスト撮影が可能ではないと再び判断した場合に、ステップＳ９に進み撮影タイミングかどうか判断する。カメラ本体ＣＰＵ２７は、レリーズＳＷ３２が半押しされていた場合には撮影タイミングであると判断して、ステップＳ５以降の処理を行う。一方、カメラ本体ＣＰＵ２７は、ステップＳ９で撮影タイミングではないと判断した場合にステップＳ１０に進む。
【００４５】
ステップＳ１０は、撮影タイミングではないため、ユーザに時間的余裕があると思われる場面を想定している。このため、カメラ本体ＣＰＵ２７は、ステップＳ１０において、ユーザに撮影シーンを確認する（ユーザに問い合わせる）。具体的には、カメラ本体ＣＰＵ２７は、スピーカ１８からビープ音を発生させてユーザに注意を喚起させるとともに、図４に示すように、背面モニタ２１に撮影シーン確認モード（問い合わせモード）を表示する。例えば、カメラ本体ＣＰＵ２７は、ステップＳ１，Ｓ２，Ｓ７にて取得した環境情報から、マクロレンズを用いた野外での日中の撮影であり、音声識別部３４が子供の声とペットの鳴き声とを識別している場合には、子供の撮影かペットの撮影かを問い合わせる表示を行う。ユーザは十字ＳＷ３３を操作することで、子供の撮影かペットの撮影かを選択することができる。なお、十字ＳＷ３３の操作に代えてタッチパネルセンサの操作によりどちらの撮影かを選択するようにしてもよい。
【００４６】
なお、カメラ本体ＣＰＵ２７は、ユーザによる選択動作が所定時間ない場合には、ユーザが確認モードに興味を示さなかったとして本フローチャートを終了する。同様に、カメラ本体ＣＰＵ２７は、ユーザがレリーズＳＷ３２を半押ししたような場合にも本フローチャートを終了する。
【００４７】
カメラ本体ＣＰＵ２７は、ステップＳ１０の確認モードによりユーザの撮影対象が確認できた場合にステップＳ４に進み、撮影アシストを実行する。例えば、ペットの撮影がユーザにより選択された場合に、カメラ本体ＣＰＵ２７は、ＡＦを実行するＡＦエリアを一点だけにするシングルポイントＡＦモードにし、ユーザにＡＦエリアを選択させる。これは、犬などのペットを撮影する際に、至近にある犬の鼻ではなく、犬の目にフォーカスがあうようにするためである。また、子供の撮影がユーザに選択された場合には、屋外での子供の撮影のため子供の動きが速いことが予想される。このため、カメラ本体ＣＰＵ２７は、閃光撮影を禁止するとともに、シャッタースピードを上げる。また、カメラ本体ＣＰＵ２７は、連写に設定するととともに、ＡＦは多点ＡＦに設定する。
【００４８】
［変形例］
以上の説明では、カメラ本体ＣＰＵ２７で実行される撮影アシストとして、マクロレンズを装着したときに、そのマクロレンズに関する情報と、各種センサーや登録された情報からなる環境情報を用いて、カメラ本体ＣＰＵ２７が現在の状況を判定し、その状況に適した撮影アシストをする場合について説明したが、本実施形態に係る撮影アシストはこの説明に限定されない。
【００４９】
例えば、カメラ本体ＣＰＵ２７は、ステップＳ３，Ｓ８の撮影アシストの判断において、ＧＰＳモジュール１６で取得した位置に関する情報から移動速度を検出し、移動速度が所定の値より速いときに、このカメラシステム１が電車や自動車等の移動手段内にあると判定する。そして、カメラ本体ＣＰＵ２７は、移動手段内にあると判定した場合には、ステップＳ４において、角速度センサ６の検出値に基づく手振れ補正の感度（または制御モード）を移動手段内での撮影に適したモードに変更するように設定する。このとき、ＧＰＳモジュール１６で取得した位置情報とフラッシュＲＯＭ２９に記憶されている地図情報とを比較して、現在位置が線路上や道路上にあるときに移動手段内にいると判断するとより判定精度を向上させることができる。
【００５０】
また、カメラ本体ＣＰＵ２７は、ＧＰＳモジュール１６で取得した位置情報とフラッシュＲＯＭ２９に記憶された地図情報とを比較し、海若しくはその近辺にいると判断したときに、取り付けられている撮影レンズ３の情報及び姿勢センサ２２や角速度センサ６からの情報を用いて、このカメラシステム１が海中にあることを判定することができる。例えば、撮影レンズ３としてマクロレンズかワイドレンズが取り付けられており、角速度センサ６により一定の周期で継続する振動を検出し、さらに、レリーズＳＷ３２が半押しされたときに姿勢センサ２２によりカメラ本体２が下方を向いていると判断したときは、水中（海中）での撮影と判定できる。このように、水中での撮影であると判定した場合、カメラ本体ＣＰＵ２７は、例えばホワイトバランスを水中での撮影に適したモードに設定したり、シャッタースピードを速く設定したりする。このとき、カメラ本体ＣＰＵ２７は、どの地域の海にいるのかを判定したり、イベント情報取得部３１により現在位置周辺の天気情報をネットワークを介して取得することにより、現在いる地域やそのときの天気を考慮したホワイトバランスやシャッタースピードの設定を行うことができる。あるいは、カレンダー部３８からの情報により、現在の季節を判定し、その季節にあった撮影アシストを行うことも可能である。
【００５１】
なお、環境情報を取得するためのセンサは、このカメラシステム１に内蔵若しくは取り付けられているものに限定されることはなく、図示しない通信手段によりカメラ本体ＣＰＵ２７と通信可能な外部センサを用いることも可能である。例えば、ダイバーが身につけている水深計から通信により現在の水深や水中にいる／いないの情報を取得し、上記のような撮影アシストを行うことも可能である。また、現在位置の情報はＧＰＳモジュール１６の情報を用いるだけでなく、背面モニタ２１及び十字ＳＷ３３（若しくはタッチパネル）を用いて撮影者に直接指定（入力）させるように構成することも可能である。
【００５２】
また、このカメラシステム１に、カメラ本体ＣＰＵ２７に接続された焦電センサ（赤外線検出部）３６を設け、カメラ本体ＣＰＵ２７が、現在撮影しようとしている被写体が子供や犬のような動きがあるものか、植物のような動きのないものかを判定するように構成することも可能である。この場合、焦電センサ３６は、カメラ本体２に取り付けられた撮影レンズ３の視野方向にその検知エリアが設定され、撮影レンズ３の被写界内の少なくとも一部にある物体からの赤外線を検出する。このように、焦電センサ３６により子供や犬から発せられる赤外線を検出して撮影アシストを行う方法は、近距離の被写体を撮影するマクロレンズがカメラ本体２に取り付けられているときに特に有効である。
【００５３】
また、このカメラシステム１において、カメラ本体ＣＰＵ２７は、カメラ本体２に望遠レンズが取り付けられていると判断したときは、手振れ補正のモードを変更するアシストを行う。例えば、カメラ本体ＣＰＵ２７は、三脚判定部３５により、カメラ本体２が三脚に固定されているか否かを判定し、固定されている場合には、手振れ補正のモードを、機構上の振れを補正するように設定し、固定されていない場合は、手持ちによる振れを補正するように設定する。また、カメラ本体ＣＰＵ２７は、レリーズＳＷ３２が半押しになったときに、撮影レンズ（望遠レンズ）３のズームレンズが望遠側か広角側かを判定し、望遠側にあるときは、手振れ補正の感度を高くし、広角側にあるときは低くするように設定する。
【００５４】
また、カメラシステム１が、静止画に加えて動画の撮影が可能なように構成されている場合には、その状況に応じて手振れ補正のモードを設定するように構成することも可能である。例えば、カメラ本体ＣＰＵ２７は、静止画撮影モードであると判断したときは、角速度センサ６で検出される振れのうち、特に高周波成分を考慮した手振れ補正を行うように設定し、動画撮影モードであると判断したときは、手振れ補正を行わないか、若しくは、低周波成分に対する手振れ補正だけを行うように設定する。動画撮影の場合は、画像に加えてそのときの音声も記憶されるため、手振れ補正による動作音を記録しないようにするためである。同様に、絞りの制御を行うと作動音が発生するため、動画撮影の場合は、絞りの制御を行わないように設定することもできる。
【００５５】
なお、上述の実施例においては、レンズ交換式一眼レフカメラであるカメラシステム１を例として説明したが、メインミラー１０やペンタプリズム１４などを省略したミラーレス一眼カメラにも適用することができる。また、レンズを交換することができないカメラシステム（コンパクトカメラ等）においても、レンズの焦点距離や設置情報を利用することにより、上述のマクロレンズ、ワイドレンズ、望遠レンズが取り付けられた場合と同様の撮影アシストを行うことができる。さらに、上述の実施形態においては、外付けの閃光装置５０の場合について説明したが内蔵の閃光装置を用いてもいい。
【符号の説明】
【００５６】
１  カメラシステム（撮像装置）    ９  撮像素子（撮像部）
１６  ＧＰＳモジュール（位置検出部）  ２７  カメラ本体ＣＰＵ（設定部）
３１  イベント情報取得部（イベント検出部）
【図１】
2018028678.tif 000003
【図２】
2018028678.tif 000004
【図３】
2018028678.tif 000005
【図４】
2018028678.tif 000006
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
撮影光学系による像を撮像する撮像部を備えた撮像装置であって、
前記撮像装置の姿勢を検出する姿勢検出部と、
前記姿勢検出部が検出した姿勢と前記撮影光学系の情報とにより前記撮像部の設定を行う設定部と、
を備えることを特徴とする撮像装置。
【請求項２】
前記撮像部は複数の前記撮影光学系を交換して撮像し、
前記設定部は、前記撮像に用いる前記撮影光学系の情報によって前記設定を行う請求項１に記載の撮像装置。
【請求項３】
前記設定部は、前記撮像部が撮影準備の状態で前記姿勢検出部によって検出された姿勢により前記撮像部の設定を行う請求項１または２に記載の撮像装置。
【請求項４】
前記設定部は、前記撮像部が前傾していると前記撮像部の設定を行う請求項３に記載の撮像装置。
【請求項５】
前記撮像部の位置を検出する位置検出部を備え、
前記設定部は、前記位置検出部によって検出された前記位置により前記撮像部の設定を行う請求項４に記載の撮像装置。
【請求項６】
前記設定部による前記撮像部の設定を報知する報知部をさらに備える請求項１〜５のいずれか一項に記載の撮像装置。
【請求項７】
前記撮影光学系の情報は、焦点距離である請求項１〜６のいずれか一項に記載の撮像装置。
【手続補正２】
【補正対象書類名】明細書
【補正対象項目名】０００４
【補正方法】変更
【補正の内容】
【０００４】
前記課題を解決するために、本発明に係る撮像装置は、撮影光学系による像を撮像する撮像部を備えた撮像装置であって、撮像装置の姿勢を検出する姿勢検出部と、姿勢検出部が検出した姿勢と撮影光学系の情報とにより撮像部の設定を行う設定部と、を備えることを特徴とする。